(57)【要約】【課題】金属板等の板材から簡単な構造で容易に製造できると共に、被固定側に強固に取り付けることができ、しかも、任意の高さの握り棒部を選択できるようにする。【解決手段】被固定側に取り付け可能な基板部、握り部および上下の立ち上がり部が板材から一体に形成されている手摺りにおいて、下立ち上がり部が、基板部から握り部に向かって上向きに傾斜して、基板部、握り部および上立ち上がり部とともに板材から一体に形成されて長手方向に連続している。【選択図】  図１
2005264439.tif 000002
【特許請求の範囲】
【請求項１】
被固定側に取り付け可能な基板部と、
この基板部から突出する上下複数段の握り部と、
基板部と各握り部との間に握り空間を形成するように、基板部と各握り部とを連接する上下の立ち上がり部とを備え、
下立ち上がり部が、基板部から握り部に向かって上向きに傾斜して、基板部、握り部および上立ち上がり部とともに板材から一体に形成されて長手方向に連続していることを特徴とする手摺り。
【請求項２】
前記握り部は２段に設けられ、かつ前記基板部には、クギ等の固定具が挿通される取付用孔が形成されている請求項１に記載の手摺り。
【請求項３】
前記板材は、アルミニウム材の押し出し成形または、板材のプレス成形により形成されている請求項１又は２に記載の手摺り。
【発明の詳細な説明】
【技術分野】
【０００１】
本発明は、例えば建物の壁面に取り付けられる手摺りに関する。
【背景技術】
【０００２】
従来から建物の階段には、昇降時の安全性を確保するために、手摺りが設けられている。そして、階段の片側又は両側に壁面が形成される場合、手摺りは壁面に取り付けられるのが一般的である。
【０００３】
この手摺りは、図５に示す如く、基板５１および基板５１と一体的のアーム５２からなる受金具５３と、階段に沿って壁面５０に間隔をおいて固定された複数個の受金具５３にわたって架設される握り棒５５とから構成されている。そして、基板５１は、アーム５２が壁面５０から突出するように、壁面５０にクギやビス等の固定具５６で固定されている。
【０００４】
また、他の手摺りとしては、金属板材から壁面に固定される基板部と、握り部と、基板部および握り部を連接する上下の立ち上がり部とを形成し、握り部および上下の立ち上がり部内に補強用の樹脂を充填して構成されるものも知られている（例えば、特許文献１）。
【特許文献１】実公平7−７４６６号公報
【発明の開示】
【発明が解決しようとする課題】
【０００５】
前記図５に示した手摺りを使用するに際して、握り棒５５を握って身体を支えた場合、使用者の負荷Ｆが下方に作用し、基板５１に引き抜き力が発生する。このような引き抜き力は、固定具５６の上下方向の間隔が大きい程、小さくなる。
【０００６】
一方、基板５１は、取付位置の制約や見映えなどの点から上下方向の長さを一定以上に大きくすることができない。この結果、手摺りを使用する際に、基板５１に作用する引き抜き力に十分に抗することが困難となり、繰り返し使用により脱落するおそれがあった。
【０００７】
前記特許文献１に記載の手摺りは、金属板材から形成された基板部、握り部および上下の立ち上がり部内に、樹脂を充填する構成であるため、製造工程が複雑になると共に部品点数が多くなる欠点がある。
【０００８】
しかも、前記何れの手摺りも、一段の高さの握り部しか備えていないため、例えば、身長の大きい使用者や、小さい使用者にとって、必ずしも最適な高さで使用できるものではなかった。
【０００９】
本発明は係る実情に鑑みてなされたもので、その課題は、金属板等の板材から簡単な構造で容易に製造できると共に、被固定側に強固に取り付けることができ、しかも、任意の高さの握り部を選択できる手摺りを提供することにある。
【課題を解決するための手段】
【００１０】
上記課題を解決するために、本発明は、被固定側に取り付け可能な基板部と、この基板部から突出する上下複数段の握り部と、基板部と各握り部との間に握り空間を形成するように、基板部と各握り部とを連接する上下の立ち上がり部とを備え、下立ち上がり部が、基板部から握り部に向かって上向きに傾斜して、基板部、握り部および上立ち上がり部とともに板材から一体に形成されて長手方向に連続していることにある。
【００１１】
本発明の手摺りは、上下に複数段の握り部を備えていることから、被固定側に取り付け可能な基板部を、上下方向に大きくでき、基板部を上下方向に大きくしても外観上の見映えも問題とならない。このため、基板部を固定具で被固定側に取り付ける場合に、固定具の上下方向の間隔を大きく取れることとなり、基板部の固定部分に作用する引き抜き力を分散して、より小さな力で強固に取り付けることができる。
【００１２】
しかも、使用時に握り部にかかる負荷が下方に作用しても、下立ち上がり部は基板部から握り部に向かって上向きに傾斜しているので、この下立ち上がり部には圧縮方向の力が作用することとなり、下立ち上がり部の負荷に対する剛性が向上する。このため、手摺りは、従来のように補強用の樹脂を基板部、握り部および上下の立ち上がり部内に充填しなくても、使用に耐え得る剛性を有し、樹脂を充填する工程が省略できることから、その製造が容易なものとなると共に、部品点数も減少する。なお、下立ち上がり部は、手摺り使用時の負荷により下立ち上がり部に圧縮方向の力が作用する限りにおいて、直線状であることは無論、若干湾曲した場合も含む。
【００１３】
前記握り部は、上下複数段に設けられているので、使用者は、自己の身長に応じて最適な高さの握り部を選択して使用することができる。
【００１４】
さらに、前記握り部は２段に設けられ、かつ前記基板部には、クギ等の固定具が挿通される取付用孔が形成されているのが好ましい。
【００１５】
また、前記板材は、アルミニウム材の押し出し成形または、板材のプレス成形により形成されているのが好ましい。かかる場合には、手摺りを容易かつ迅速に製造することが可能である。
【発明の効果】
【００１６】
本発明は、基板部、握り部および上下の立ち上がり部を板材で形成するため、構造が簡単でかつ容易に製造することができる。しかも、握り棒部を複数段に設けることで基板部が上下方向に大きくでき、より少ない力で強固に取り付けることができるとともに、使用者は、自己の身長に応じて最適な高さの握り部を選択して使用することができる。
【００１７】
また、基板部および握り棒部が板材から一体に形成され、かつ、下立ち上がり部は、上向き傾斜状に形成されているので、板材単体で十分な剛性を得ることができ、強固に取り付けることができることと相まって耐荷重性が向上し、部品点数の減少も図ることができる。
【発明を実施するための最良の形態】
【００１８】
以下、本発明の実施の形態について、図面を参照して説明する。
【００１９】
図１は本発明に係る手摺りを取付けた状態を示す要部断面図、図２は同手摺りの斜視図、図３は、同手摺りの使用状態を示す斜視図である。
【００２０】
図１〜図３において、手摺り１は、例えば、押し出し成形により形成されたアルミニウム製の金属板材からなり、建物の壁面６に固定される基板部２と、この基板部２から突出しかつ金属板材の長手方向全長にわたって連続して形成された握り棒部３ａ，３ｂとから構成されている。なお、金属板の表面はアルマイト処理が施されている。
【００２１】
前記握り棒部３ａ，３ｂは、上下複数段（本実施の形態では２段）所定の間隔をおいて平行に設けられている。上下の握り棒部３ａ，３ｂは、断面略半円形状に膨出形成された握り部５ａ、５ｂと、各握り部５ａ、５ｂの内側端から円弧状の連結部７ａ、７ｂを介して連接された上立ち上がり部８ａ、８ｂと、各握り部５ａ、５ｂの外側端から連接された下立ち上がり部９ａ、９ｂとからなる。なお、各握り棒部３ａ，３ｂの上下の立ち上がり部８ａ、８ｂ、９ａ、９ｂは、所定の間隔を有している。
【００２２】
各握り棒部３ａ，３ｂの下立ち上がり部９ａ、９ｂは、基板部２から握り部５ａ、５ｂに向かって上向きに傾斜しており、かつ直線状になっている。この下立ち上がり部９ａ、９ｂの傾斜角度は、３０度〜６０度に設定され、好ましくは３０度〜４５度に設定される。また、各握り棒部３ａ，３ｂの下立ち上がり部９ａ、９ｂは、握り部５ａ、５ｂの接線方向から延設されている。
【００２３】
前記基板部２は、上取付部１２ａと、中取付部１２ｂと、下取付部１２ｃとから構成されている。上取付部１２ａの下端と上方の握り棒部３ａの上立ち上がり部８ａの基端とは、円弧状の連結部１３を介して連接されている。
【００２４】
前記中取付部１２ｂの上端と前記上方の握り棒部３ａの下立ち上がり部９ａ基端とは、円弧状の連結部１５を介して連接されている。また、中取付部１２ｂの下端と前記下方の握り棒部３ｂの上立ち上がり部８ｂの基端とは、円弧状の連結部１６を介して連接されている。下方の握り棒部３ｂの下立ち上がり部９ｂは、円弧状の連結部１７を介して前記下取付部１２ｃの上端と連接されている。
【００２５】
各握り部５ａ、５ｂの外径Ｄは、上下の立ち上がり部８ａ、９ａ間および８ｂ、９ｂ間の間隔Ｌよりも大きく設定され、しかも、各握り部５ａ、５ｂと、上取付部１２ａおよび中取付部１２ｂとの間には、握り空間２０がそれぞれ形成され、各握り部５ａ、５ｂが握り易くなっている。
【００２６】
また、上中下取付部１２ａ、１２ｂ、１２ｃにおける所定の位置には、固定具としてのクギやビス等が挿通される複数の取付用孔２１が、それぞれ長手方向に形成されている。
【００２７】
上記の構成からなる手摺り１を、図３に示す如く、建物の階段の壁面（仕上げボード面）６に取り付けるにあたっては、各取付用孔２１に挿通した石膏クギ２２で、階段に沿わせるとともに、手摺り１を任意の高さ位置で取り付ける。なお、石膏クギ２２は、上中下取付部１２ａ、１２ｂ、１２ｃの全ての取付用孔２１に挿通しても、取り付け位置に応じて各取付部１２ａ、１２ｂ、１２ｃの任意の取付用孔２１を選択して挿通してもよい。石膏クギ以外の固定具も使用可能であるが、石膏クギで手摺り１を固定する場合には、取り外し後の跡が目立ち難いので好ましい。また、手摺り１を傾斜して取り付ける場合には、手摺り１の両端は、取り付け時に垂直となるように、予め斜めに加工しておくのが望ましい。また、図示しないキャップを切断された両端部に装着する。
【００２８】
このように取り付けられた手摺り１において、各握り部５ａ、５ｂと上取付部１２ａおよび中取付部１２ｂとの間には、握り空間２０がそれぞれ形成されているため、使用者は、自分に合った高さの握り部５ａ、５ｂを選択して握ることができる。例えば上方の握り棒部３ａを使用する際に、体重による負荷Ｆが下方に作用すると、その反力は、図１に矢印で示すように、固定具２２の上下方向の間隔が大きくなった各取付部１２ａ、１２ｂ、１２ｃで分散される。この結果、手摺り１をより少ない力で強固に固定することができる。
【００２９】
しかも、上方の握り棒部３ａの下立ち上がり部９ａは、直線状でかつ傾斜し、握り部５ａの接線方向から延設されているため、握り部５ａと下立ち上がり部９ａとの連接部分で屈曲することなく、下立ち上がり部９ａには、圧縮力が作用する。また、下立ち上がり部９ａは、円弧状の連結部１５を介して中取付部１２ｂに連接され、引っ張り力の作用する上立ち上がり部８ａは、円弧状の連結部１３を介して上取付部１２ａに連接されているため、上方の握り棒部３ａへの応力集中がなく、応力の分散が図れ、手摺り１自体も強くなり、耐荷重性が向上する。
【００３０】
また、手摺り１は、握り棒部３ａ、３ｂの表面に突起物がなく滑らかにされているため、安全である。
【００３１】
本発明は、前記の実施の形態に限定されるものではない。例えば、握り部５ａ、５ｂの形状について上記実施例では断面略円形状のものを例示したが、手摺り機能を奏すればよいので、上記形状に限るものではない。
【００３２】
前記手摺り１は金属板材をプレス的加工で形成したものであってもよい。その他、板材の材質は、アルミニウム以外にステンレスであっても、または、金属以外に硬質の合成樹脂材も可能である。また、前記実施の形態では、握り棒部を２段に設けたが、３段以上に設けることも可能である。
【００３３】
さらに、前記手摺り１は、階段の壁面以外に、ダンススタジオで使用することもできる。手摺り１は、前記のように耐荷重性が向上するので、複数人が一度に使用して大きな力が掛かっても、十分に耐え得るようになっている。
【００３４】
また、前記手摺り１は、黒板のチョーク受け等のとしても最適である。かかる場合には、下方の握り棒部は、小物置きとして利用できる。しかも、手摺り１がアルミニウム製の場合には、容易に所定の長さに切断できる。従って、図４に示す如く、例えば、５ｃｍ幅に切断して衣服掛け１ａとして利用したり、また、所望する長さに切断して、ＣＤラックやディスプレイとしても利用できる。
【図面の簡単な説明】
【００３５】
【図１】本発明に係る手摺りを取付けた状態を示す要部断面図である。
【図２】同手摺りの斜視図である。
【図３】同手摺りの使用状態を示す斜視図である。
【図４】同手摺りを所定の長さに切断した斜視図である。
【図５】従来の手摺りを取付けた状態を示す要部断面図である。
【符号の説明】
【００３６】
２          基板部
３ａ，３ｂ  握り棒部
５ａ，５ｂ  握り部
６          壁面（被固定側）
８ａ、８ｂ  上立ち上がり部
９ａ、９ｂ  下立ち上がり部
１２ａ      上取付部
１２ｂ      中取付部
１２ｃ      下取付部
２０        握り空間
【図１】
2005264439.tif 000003
【図２】
2005264439.tif 000004
【図３】
2005264439.tif 000005
【図４】
2005264439.tif 000006
【図５】
2005264439.tif 000007